(57)【要約】【課題】  地下施設等の構造物施設の出入口に対して容易にかつ迅速に設置可能であり、しかも設置に大掛かりな工事を必要としない止水装置を提供する。【解決手段】  止水装置１は、床面Ｆ上に横置きされた状態で出入口Ｐを遮断して上流側Ｕおよび下流側Ｄを区画する止水扉２と、この止水扉２を回転可能に支持するガイドプレート７と、止水扉２の一端部２ａを鉛直方向に案内するガイドローラ１０、ガイドレール２５および２６と、止水扉２の一端部２ａを鉛直方向上方に付勢するバランサースプリング２７と、止水扉２の他端部２ｂを水平方向に移動するキャスター１２を含む。【選択図】        図１４
2006274755.tif 000002
【特許請求の範囲】
【請求項１】
床面と互いに対向する２つの壁面とからなる出入口に設置される止水装置であって、上記２つの壁面のうち一方の壁面に接して配された第１収納ケースと、この第１収納ケース内に縦置き状態で収納されかつ上記２つの壁面間の上記床面上に横置きされた状態で上記出入口を遮断して上流側および下流側を区画すると共に、長さ方向に離間する両端部を有する止水扉と、上記第１収納ケース内に縦置き状態で収納された止水扉の両端部のうち、上記床面から遠い一端部を回転可能に支持する回転支持手段と、上記止水扉の一端部を上記第１収納ケース内で鉛直方向に案内する鉛直方向移動手段と、上記止水扉の一端部が上記鉛直方向移動手段に従って鉛直方向下方に移動する際に、上記止水扉の他端部を上記床面上で水平移動させる水平方向移動手段と、この水平方向移動手段により移動して上記床面上に横置き状態になった上記止水扉の他端部を収納しかつ上記２つの壁面のうち他方の壁面に接して配された第２収納ケースを含むことを特徴とする止水装置。
【請求項２】
上記止水扉は、その両端部を連絡しかつ横置き状態で上記床面に近接する一側面に設けられた弾性シール部を有するものであることを特徴とする請求項１記載の止水装置。
【請求項３】
上記止水扉の一端部を鉛直方向上方に付勢する第１付勢手段をさらに含むことを特徴する請求項１または請求項２に記載の止水装置。
【請求項４】
上記水平方向移動手段は、上記止水扉の他端部の角部に設けられかつ当該他端部の水平移動を補助するキャスターと、上記止水扉が上記床面に対して傾斜している間、上記止水扉の自重に抗して上記キャスターを、上記弾性シール部を越えて上記床面に接触させると共に、上記止水扉が上記床面に対して平行になる際に、上記止水扉の自重により上記キャスターを後退させて上記弾性シール部を上記床面に接触させるように、上記キャスターを付勢する第２付勢手段を含むことを特徴とする請求項１から請求項３のうち、いずれかの項に記載の止水装置。
【発明の詳細な説明】
【技術分野】
【０００１】
この発明は、地下施設等の構造物施設の出入口に設置されて、増水等による構造物施設への浸水を防止する止水装置に関するものである。
【背景技術】
【０００２】
一般に、地下鉄、地下道または地下駐車場等の地下施設あるいは倉庫等の地上施設では、大雨あるいは高潮等により発生する増水に対処するために、それぞれの施設の出入口に防潮板等の防水設備が設けられている場合がある。この防水設備は、施設の出入口の所定位置に駅員等の専任者によって運ばれて設置される防潮板と、この防潮板を所定位置に固定する固定機構とから構成されている。
【０００３】
しかしながら、従来の防潮板は、増水による水圧の増加にも耐え得るように、重厚長大に設計されているため、増水の発生という緊急時に、専任者が防潮板を保管場所から所定位置まで運び、設置するという一連の作業が非常に重労働となるばかりでなく、その設置までの作業時間を考慮すると、防水設備に要求される迅速性を欠いていると考えられる。そこで、従来の欠点を解決すべく、比較的迅速に設置が可能な防水設備も提案されている。
【０００４】
特許文献１は、地下施設等の出入口の床面内に埋設された防水収納ケースと、この防水収納ケース内に折り畳まれた状態で収納されかつ下端部が固定された防水シャッタと、上記防水収納ケースに取り付けられかつ上方に延在するレールと、このレールに沿って上記防水シャッタを上方に送出する駆動機構とから構成された防水シャッタ装置を開示するものである。
【０００５】
特許文献２は、地下施設等の出入口の床面内に形成された収納溝と、この収納溝内に折り畳まれた状態で収納されたシートと、上記収納溝から引き出されたシートを支持するサイドレールおよび中柱とから構成された防潮板装置を開示するものである。
【０００６】
特許文献３は、地下施設等の出入口としての開口部の床面内に形成された支持溝と、この支持溝内に固定された下端部を有する防潮用の堰板と、この堰板の裏面に設置されかつ上記開口部に上記堰板を固定するためのラチェット機構による締付け部材とから構成された防潮板締付装置を開示するものである。
【０００７】
しかしながら、上記特許文献１から特許文献３までに開示された防水設備はいずれも、防潮板の機能を発揮するシャッタ、シートあるいは堰板を収納あるいは固定するための溝部を、出入口または開口部の床面に形成する必要があるため、上記防水設備の構築に際して床面に対し大掛かりなハツリ工事を行わなければならず、上記防水設備の費用に加えて、ハツリ工事の費用も嵩んでいた。さらに、上記防水設備は、そもそも上記施設の出入口に設置されるものであるので、既存の施設に防水設備用のハツリ工事を別途行う場合には、出入口を一時的にでも閉鎖して施設使用者の通行を制限する必要が生じるため、施設使用者にとって不便であった。
【特許文献１】特開２００３−８２９５６号公報
【特許文献２】特開２００１−２２７２５５号公報
【特許文献３】実開平４−１１６５９７号公報
【発明の開示】
【発明が解決しようとする課題】
【０００８】
この発明の目的は、地下施設等の構造物施設の出入口に対して容易にかつ迅速に設置可能であり、しかも設置に大掛かりな工事を必要としない止水装置を提供することにある。
【課題を解決するための手段】
【０００９】
この発明の請求項１記載の発明は、床面と互いに対向する２つの壁面とからなる出入口に設置される止水装置であって、上記２つの壁面のうち一方の壁面に接して配された第１収納ケースと、この第１収納ケース内に縦置き状態で収納されかつ上記２つの壁面間の上記床面上に横置きされた状態で上記出入口を遮断して上流側および下流側を区画すると共に、長さ方向に離間する両端部を有する止水扉と、上記第１収納ケース内に縦置き状態で収納された止水扉の両端部のうち、上記床面から遠い一端部を回転可能に支持する回転支持手段と、上記止水扉の一端部を上記第１収納ケース内で鉛直方向に案内する鉛直方向移動手段と、上記止水扉の一端部が上記鉛直方向移動手段に従って鉛直方向下方に移動する際に、上記止水扉の他端部を上記床面上で水平移動させる水平方向移動手段と、この水平方向移動手段により移動して上記床面上に横置き状態になった上記止水扉の他端部を収納しかつ上記２つの壁面のうち他方の壁面に接して配された第２収納ケースを含むものである。
【００１０】
この発明の請求項２記載の発明は、上記止水扉が、その両端部を連絡しかつ横置き状態で上記床面に近接する一側面に設けられた弾性シール部を有するものであることを特徴とするものである。
【００１１】
この発明の請求項３記載の発明は、上記止水扉の一端部を鉛直方向上方に付勢する第１付勢手段をさらに含むことを特徴するものである。
【００１２】
この発明の請求項４記載の発明は、上記水平方向移動手段を、上記止水扉の他端部の角部に設けられかつ当該他端部の水平移動を補助するキャスターと、上記止水扉が上記床面に対して傾斜している間、上記止水扉の自重に抗して上記キャスターを、上記弾性シール部を越えて上記床面に接触させると共に、上記止水扉が上記床面に対して平行になる際に、上記止水扉の自重により上記キャスターを後退させて上記弾性シール部を上記床面に接触させるように、上記キャスターを付勢する第２付勢手段とで構成することを特徴とするものである。
【発明の効果】
【００１３】
この発明の請求項１記載の発明によれば、止水扉を回転可能に支持する回転支持手段と、上記止水扉の一端部を鉛直方向に案内する鉛直方向移動手段と、上記止水扉の他端部を水平方向に移動する水平方向移動手段を含むように構成したので、止水扉を出入口に対して容易にかつ迅速に設置することができるという効果がある。また、この発明では、上記回転支持手段等による回転的移動で止水扉を床面に配置することができるので、床面に対して、従来実施されてきたような大掛かりなハツリ工事を不要とすることができることから、出入口への止水装置の設置を安価で迅速に行うことができるという効果もある。またさらに、この発明では、止水扉を第１収納ケース内に縦置き状態でコンパクトに収納することができるので、増水時以外の未使用時において場所を採らず、出入口の通行を妨げないという効果もある。
【００１４】
この発明の請求項２記載の発明によれば、止水扉の側面のうち、横置き状態で床面に近接する一側面に弾性シール部を設けるように構成したので、この弾性シール部により、止水扉を横置き状態にした際に、床面と止水扉との間に水密構造を容易に形成することができるという効果がある。
【００１５】
この発明の請求項３記載の発明によれば、上記止水扉の一端部を鉛直方向上方に付勢する第１付勢手段を含むように構成したので、止水扉を縦置き状態から横置き状態に回転的に移動させる際に、第１付勢手段の付勢力により止水扉の回転的移動を規制することができることから、不用意な回転的移動を防止することができると共に、止水扉の取り扱いを容易にして駅員等の専任者の作業負担を軽減することができるという効果がある。
【００１６】
この発明の請求項４記載の発明によれば、水平方向移動手段をキャスターと第２付勢手段とで構成するようにしたので、止水扉が縦置き状態から横置き状態になるまで、キャスターにより、止水扉を円滑に移動することができると共に、横置き状態になる際には、キャスターを後退させて、弾性シール部を床面と止水扉との間に介在させることで、容易に水密構造を形成することができるという効果がある。
【発明を実施するための最良の形態】
【００１７】
実施の形態１．
図１は、この発明の実施の形態１による止水装置の全体構成を示す正面図であり、図２は、図１に示した止水装置の一部を構成する第１収納ケースの配置構成を矢印Ａ１から見た矢視図であり、図３は、図１に示した止水装置の一部を構成する第２収納ケースの配置構成を矢印Ａ２から見た矢視図であり、図４は、図２に示した第１収納ケース内に縦置き状態で収納されている止水扉の構成を示す正面図であり、図５は、図４に示した止水扉の一端部に取り付けられた回転支持手段の構成を示す斜視図であり、図６は、図５に示した回転支持手段の構成を矢印Ａ３から見た矢視図であり、図７は、図４に示した止水扉の他端部に取り付けられた水平方向移動手段の構成を拡大して示す正面図であり、図８は、図７に示した水平方向移動手段の内部構成を示す立面図であり、図９は、図２に示した第１収納ケース内に配設された鉛直方向移動手段の構成を示す正面図であり、図１０は、図９に示した鉛直方向移動手段の構成を矢印Ａ４から見た矢視図であり、図１１は、図９に示した鉛直方向移動手段の構成を示す斜視図であり、図１２は、図９のＸＩＩ−ＸＩＩ線断面図であり、図１３は、図１のＸＩＩＩ−ＸＩＩＩ線断面図であり、図１４は、図４に示した止水扉の動作を説明するための正面図であり、図１５（ａ）、図１５（ｂ）、図１５（ｃ）、図１５（ｄ）および図１５（ｅ）は、図１４で説明された止水扉の動作に対応する水平方向移動手段の動作を説明するための正面図であり、図１６は、図１５（ｅ）に示した水平方向移動手段に対応する横置き状態の止水扉を示す斜視図であり、図１７は、止水扉が横置き状態になった場合における止水装置の内部構成を示す図であって、図１のＸＶＩＩ−ＸＶＩＩ線断面図である。なお、この明細書において、「縦置き」とは上下方向すなわち鉛直方向に配設されたことを意味し、「横置き」とは床面に沿って水平方向に配設されたことを意味するものとする。また、増水により発生することが予想される水流の方向については、「上流側」および「下流側」で示すものとする。
【００１８】
この実施の形態１による止水装置１は、階段Ｓの階段口部Ｓ１を構成する床面Ｆと、この床面Ｆに対向する天井Ｃと、互いに対向する２つの壁面Ｗ１およびＷ２とからなる出入口Ｐに設置されるものであり、壁面Ｗ１およびＷ２間の床面Ｆ上に横置きされた状態で出入口Ｐを遮断して上流側Ｕおよび下流側Ｄを区画する止水扉２と、この止水扉２を縦置き状態で収納しかつ一方の壁面Ｗ１に接して配された断面矩形状の第１収納ケース３と、横置き状態の止水扉２の一部を収納しかつ他方の壁面Ｗ２に接して配された断面矩形状の第２収納ケース４とから概略構成されている。
【００１９】
まず、止水扉２の構成を説明する。
止水扉２は、金属等の剛性材からなる六面体構造の長尺部材であり、この止水扉２は、縦置き状態で上端を構成する一端部２ａと、この一端部２ａから長さ方向に離間しかつ縦置き状態で下端を構成する他端部２ｂと、これら両端部を連絡しかつ横置き状態で床面Ｆに近接する一側面２ｃと、この一側面２ｃに対向する反対側に設けられた他側面２ｄと、増水時の上流側Ｕに面する上流側面２ｅと、下流側Ｄに面する下流側面２ｆとから概略構成されている。止水扉２の一側面２ｃには、止水扉２が横置き状態になったときに、床面Ｆに接触して、止水扉２と床面Ｆとの間に水密構造を形成するのに適したゴムや軟質な合成樹脂などの弾性を有する材料で構成された防潮パッキン（弾性シール部）５が設けられている。止水扉２の他側面２ｄには、第１収納ケース３内に縦置き状態で収納された止水扉２を引き出すための取手６が取り付けられている。
【００２０】
図４に示すように、止水扉２の一端部２ａには、止水扉２の長さ方向の中心線Ｘを基準にして他側面２ｄ寄りの適切な位置に、ガイドプレート（回転支持手段）７が回転軸８を介して回転可能に取り付けられている。ガイドプレート７は、図５に示すように、断面コ字状の部材であって、矩形状の上流側板部７ａと、この上流側板部７ａに対して平行に配された矩形状の下流側板部７ｂと、これら両側板部を連絡する中央板部７ｃとから概略構成されている。上流側板部７ａと下流側板部７ｂとの離間距離は、止水扉２の厚さ寸法より大きく設定されており、これにより、上流側板部７ａは止水扉２の上流側面２ｅから離間し、下流側板部７ｂは止水扉２の下流側面２ｆから離間している。上流側板部７ａおよび下流側板部７ｂには、止水扉２の中心線Ｘを基準にして他側面２ｄ寄りの適切な位置に、回転軸８を配設するための貫通穴９がそれぞれ形成されている。また、上流側板部７ａの外側には、四隅の適切な位置に、２対のガイドローラ（鉛直方向移動手段）１０が取り付けられており、同様に、下流側板部７ｂの外側にも、四隅の適切な位置に、２対のガイドローラ１０が取り付けられている。各１対のそれぞれのガイドローラ１０は、その間に後述のガイドレールが挿通されるように所定の寸法だけ離間している。また、ガイドプレート７の中央板部７ｃには、止水扉２の中心線Ｘを基準にして他側面２ｄ寄りの適切な位置に、後述のバランサースプリングからのワイヤを取り付けるためのフック１１が固定されている。
【００２１】
図４、図７および図８に示すように、止水扉２の他端部２ｂと一側面２ｃとから構成される角部には、切欠き部２ｇが形成されており、この切欠き部２ｇの一側面２ｃの内側には、止水扉２の他端部２ｂを床面Ｆ上で移動するのを補助するキャスター（水平方向移動手段）１２と、このキャスター１２に対して常時付勢力を与える第２付勢手段としてのスプリング（水平方向移動手段）１３が配設されている。この実施の形態１におけるスプリング１３は、同軸上に配された２つのコイルスプリング１４および１５から構成されている。各コイルスプリングの一端部１４ａおよび１５ａは、止水扉２の一側面２ｃの内側に固定具１６により固定された固定プレート１７を押圧しており、各コイルスプリングの他端部１４ｂおよび１５ｂは、キャスター１２を回転軸１２ａにより回転可能に支持する支持部１２ｂが固定具１８により固定された可動プレート１９を押圧している。キャスター１２に作用するスプリング１３の付勢力は、止水扉２が後述するように床面Ｆに対して傾斜している間、止水扉２の自重に抗してキャスター１２を、防潮パッキン５を越えて床面Ｆに接触させると共に、止水扉２が床面Ｆに対して平行になる際に、止水扉２の自重によりキャスター１２を止水扉２の他側面２ｄ側へ後退させて防潮パッキン５を床面Ｆに接触させるように設定されている。なお、必要に応じて、床面Ｆ上には、キャスター１２の移動を案内するように溝などの案内部を設けてもよい。
【００２２】
次に、第１収納ケース３内の構成を説明する。
図１３に示すように、第１収納ケース３は、止水扉２を縦置き状態で収納するのに十分な高さを有する断面矩形状の函状部材である。この第１収納ケース３には、図１３に示すように、第２収納ケース４に対向する側に開閉扉３ａが設けられている。開閉扉３ａは、蝶番３ｂにより回転可能に支持されている。
【００２３】
図９から図１４に示すように、第１収納ケース３内には、床面Ｆ上に立設されかつ上記止水扉２の長さ寸法より長い寸法を有する断面コ字状の支柱２０が配設されている。支柱２０は、図１２に示すように、中央板部２０ａと、この中央板部２０ａの上流側に設けられた上流側板部２０ｂと、上記中央板部２０ａの下流側に設けられた下流側板部２０ｃとから概略構成されている。上流側板部２０ｂには、この上流側板部２０ｂの長さ方向に沿って断面略Ｌ字状の板部材２１が固定されており、他方、下流側板部２０ｃには、この下流側板部２０ｃの長さ方向に沿って断面略Ｌ字状の板部材２２が固定されている。両板部材２１および２２には、互いに対向する内面上に、板部材２１および２２のそれぞれ長さ方向に沿って間隔をおいて複数のスペーサ２３および２４が配設されている。複数のスペーサ２３の先端部（最内部）には、鉛直方向に延在する薄板状のガイドレール（鉛直方向移動手段）２５が設けられており、他方、複数のスペーサ２４の先端部（最内部）には、鉛直方向に延在する薄板状のガイドレール（鉛直方向移動手段）２６が設けられている。両ガイドレール２５および２６の長さ方向の両縁部は、図５および図６に示すように、対をなすガイドローラ１０によって摺接されるように、ガイドローラ１０間の離間寸法に合わせて両ガイドレール２５および２６の幅（水平方向の寸法）が設定されている。なお、ガイドレール２５および２６と、ガイドプレート７上に設けられたガイドローラ１０とは、止水扉２の一端部２ａを鉛直方向に移動する鉛直方向移動手段を構成している。
【００２４】
図１、図２および図１４に示すように、第１収納ケース３内の支柱２０の上部には、止水扉２の一端部２ａを鉛直方向上方に常時付勢するバランサースプリング（第１付勢手段）２７が設けられている。バランサースプリング２７は、鉛直方向上方に常時引き取られる付勢力を受けるワイヤ２８と、このワイヤ２８の一端部（図示せず）を巻き取る方向に付勢するリール（図示せず）とから概略構成されている。ワイヤ２８のループ状の他端部２８ａは上記ガイドプレート７に固定されたフック１１に取り付けられている。バランサースプリング２７の付勢力は、第１収納ケース３内に縦置き状態で収納される止水扉２の姿勢を維持すると共に、止水扉２が床面Ｆに対して傾斜していく過程で、止水扉２の移動速度が必要以上に増さない程度に設定されている。
【００２５】
このような第１収納ケース３内には、図１３および図１７に示すように、床面Ｆ上に横置きされた状態の止水扉２の下流側面２ｆと第１収納ケース３との間に水密構造を形成するのに適したゴムや軟質な合成樹脂などの弾性を有する材料で構成された防潮パッキン２９が配設されている。
【００２６】
次に、第２収納ケース４内の構成を説明する。
図１７に示すように、第２収納ケース４は、止水扉２の他端部２ｂを横置き状態で収納するのに十分な高さを有する断面矩形状の函状部材である。この第２収納ケース４には、第１収納ケース３に対向する側に開閉扉４ａが設けられている。開閉扉４ａは、蝶番４ｂにより回転可能に支持されている。第２収納ケース４内には、第１収納ケース３内に設けられた支柱２０と略同一構造を有する断面コ字状の支柱３０が設けられている。支柱３０は、図１７に示すように、中央板部３０ａと、この中央板部３０ａの上流側に設けられた上流側板部３０ｂと、上記中央板部３０ａの下流側に設けられた下流側板部３０ｃとから概略構成されている。上流側板部３０ｂと下流側板部３０ｃとの間には、横置き状態になった止水扉２の他端部２ｂから突出するキャスター１２が収容されるように構成されている。また、第２収納ケース４内には、図１７に示すように、床面Ｆ上に横置きされた状態の止水扉２の下流側面２ｆと第１収納ケース３との間に水密構造を形成するのに適したゴムや軟質な合成樹脂などの弾性を有する材料で構成された防潮パッキン３１が配設されている。
【００２７】
次に、止水装置１の動作（使用方法）について説明する。
まず、止水装置１の未使用状態では、第１収納ケース３の開閉扉３ａおよび第２収納ケース４の開閉扉４ａが閉じられており、そのうち、第１収納ケース３内には止水扉２が縦置き状態で収納されている。このとき、止水扉２は、図１４に示すように、スプリング１３を構成するスプリング１４および１５により付勢されたキャスター１２により床面Ｆ上に縦置き状態とされ、この縦置き状態は、バランサースプリング２７の付勢力により止水扉２の一端部２ａを鉛直方向上方に付勢してキャスター１２の転がりを防止することで、維持されている。この場合、図１５（ａ）に示すように、キャスター１２の回転軸１２ａに作用するスプリング１３の付勢力に対する応力ｆ１と止水扉２の自重に対する応力ｆ２との合力ｆ３がスプリング１３の中心を通過するため、スプリング１３の付勢力がキャスター１２に有効に作用し、これによりキャスター１２が床面Ｆ上での転がりを防止する。したがって、緊急時あるいは訓練時に、専任者が止水扉２に対して引出し力を加えない限り、止水扉２の縦置き状態は安定している。
【００２８】
次に、増水時すなわち緊急時にあっては、止水装置１は容易に使用状態を採ることができる。すなわち、増水発生等の緊急時において、専任者により第１収納ケース３の開閉扉３ａおよび第２収納ケース４の開閉扉４ａが開けられる。次に、第１収納ケース３内に縦置き状態で収納された止水扉２の取手６が専任者により手前（第２収納ケース４側）に引かれると、キャスター１２が床面Ｆ上を若干転がって、止水扉２が床面Ｆに対して若干傾斜する。この場合、図１５（ｂ）に示すように、キャスター１２の回転軸１２ａに作用するスプリング１３の付勢力に対する応力ｆ１が小さくなるため、この応力ｆ１と止水扉２の自重に対する応力ｆ２との合力ｆ３がスプリング１３の中心から止水扉２の他側面２ｄ寄りに変移する。しかし、合力ｆ３がスプリング１３の付勢力に対抗しないため、キャスター１２の床面Ｆに対する十分な接触は維持されている。
【００２９】
さらに、止水扉２が引き出されると、止水扉２の床面Ｆに対する傾斜角が小さくなる。この場合、図１５（ｃ）に示すように、キャスター１２の回転軸１２ａに作用するスプリング１３の付勢力に対する応力ｆ１が実質的に零になるため、止水扉２の自重に対する応力ｆ２が上記合力ｆ３と実質的に等しくなる。しかし、合力ｆ３がスプリング１３の付勢力に対抗しないため、キャスター１２の床面Ｆに対する十分な接触は維持されている。
【００３０】
さらに、止水扉２が引き出されると、止水扉２の床面Ｆに対する傾斜角がさらに小さくなり、止水扉２が横置き状態に近くなる。この場合、図１５（ｄ）に示すように、キャスター１２の回転軸１２ａに作用するスプリング１３の付勢力に対する応力ｆ１が止水扉２の自重に対する応力ｆ２を越えて向きを変えるため、スプリング１３の付勢力に抗する合力ｆ３が生じる。しかし、合力ｆ３がスプリング１３の付勢力に対抗しないため、この段階でも、キャスター１２の床面Ｆに対する十分な接触は維持されている。
【００３１】
止水扉２が十分に引き出されると、止水扉２の床面Ｆ上に横置き状態になる。この場合、図１５（ｅ）に示すように、キャスター１２の回転軸１２ａに作用するスプリング１３の付勢力に対する応力ｆ１が大きくなり、この応力ｆ１と止水扉２の自重に対する応力ｆ２との合力ｆ３がスプリング１３の付勢力に対抗するため、この段階で、キャスター１２は床面Ｆに接触するものの、キャスター１２の転がりは終了する。このとき、横置き状態になった止水扉２の防潮パッキン５が床面Ｆに対して止水扉２の自重により押し付けられることから、止水扉２と床面Ｆとの間には水密構造が形成される。同時に、図１７に示すように、止水扉２と第１収納ケース３との間には、防潮パッキン２９により水密構造が形成されると共に、止水扉２と第２収納ケース４との間には、防潮パッキン３１により水密構造が形成される。
【００３２】
以上のように、この実施の形態１によれば、止水扉２の縦置き状態での上方側である一端部２ａ側を中心にして止水扉２を回転可能に支持するガイドプレート７と、止水扉２の一端部２ａを鉛直方向に案内するガイドローラ１０、ガイドレール２５および２６と、止水扉２の他端部２ｂを水平方向に移動するキャスター１２およびスプリング１３を含むように構成したので、止水扉２を出入口Ｐに対して容易にかつ迅速に設置することができるという効果がある。また、この実施の形態１では、ガイドプレート７等による回転的移動で止水扉２を床面Ｆに配置することができるので、床面Ｆに対して、従来実施されてきたような大掛かりなハツリ工事を不要とすることができることから、出入口Ｐへの止水装置１の設置を安価で迅速に行うことができるという効果もある。またさらに、この実施の形態１では、止水扉２を第１収納ケース３内に縦置き状態でコンパクトに収納することができるので、増水時以外の未使用時において場所を採らず、出入口Ｐの通行を妨げないという効果もある。
【００３３】
この実施の形態１によれば、止水扉２の一端部２ａを鉛直方向上方に付勢するバランサースプリング２７を含むように構成したので、止水扉２を縦置き状態から横置き状態に回転的に移動させる際に、バランサースプリング２７の付勢力により止水扉２の回転的移動を規制することができることから、不用意な回転的移動を防止することができると共に、止水扉２の取り扱いを容易にして駅員等の専任者の作業負担を軽減することができるという効果がある。
【００３４】
この実施の形態１によれば、水平方向移動手段をキャスター１２とスプリング１３とで構成するようにしたので、止水扉２が縦置き状態から横置き状態になるまで、キャスター１２により、止水扉２を円滑に移動することができると共に、横置き状態になる際には、キャスター１２を後退させて、防潮パッキン５を床面Ｆと止水扉２との間に介在させることで、容易に水密構造を形成することができるという効果がある。
【００３５】
この実施の形態１によれば、止水扉２の一側面２ｃに防潮パッキン５を設けるように構成したので、この防潮パッキン５により、止水扉２を横置き状態にした際に、床面Ｆと止水扉２との間に水密構造を容易に形成することができるという効果がある。さらに、この実施の形態１によれば、第１収納ケース３内に防潮パッキン２９を設けかつ第２収納ケース４内に防潮パッキン３１を設けるように構成したので、止水扉２が床面Ｆ上に横置き状態になると同時に、第１収納ケース３および第２収納ケース４と止水扉２との間にそれぞれ水密構造を形成することができるという効果がある。
【００３６】
なお、この実施の形態１では、床面Ｆを階段Ｓの階段口部Ｓ１としたが、この発明は階段口部に限定されるものではなく、種々の構造物施設の出入口等の必要な箇所において適用可能である。
【００３７】
実施の形態２．
図１８は、この発明の実施の形態２による止水装置の一部を構成する止水扉の構成を縦置き状態で示す正面図であり、図１９は、図１８に示した止水扉の一端部に取り付けられた回転支持手段に対するロック機構を示す正面図であり、図２０は、図１８に示した止水扉の動作を説明するための正面図である。なお、この実施の形態２の構成要素のうち、実施の形態１の構成要素と共通するものについては同一の符号を付し、その部分の説明を省略する。
【００３８】
この実施の形態２の特徴は、止水扉２の一端部２ａに回転可能に取り付けられたガイドプレート（回転支持手段）７の上流側板部７ａおよび下流側板部７ｂを略台形状にした点にある。すなわち、上流側板部７ａおよび下流側板部７ｂには、中央板部７ｃに近い１対のガイドローラ１０および貫通穴９のみが設けられており、上流側板部７ａおよび下流側板部７ｂは、それぞれの先端側（止水扉２が縦置き状態にあるときに下側）が切り取られることで、略台形状になり、実施の形態１のガイドプレート７と比較して軽量化が図られている。また、上流側板部７ａおよび下流側板部７ｂが上述のように略台形状に形成されたことから、実施の形態１において上流側板部７ａおよび下流側板部７ｂの先端側に設けられていた１対のガイドローラ１０を省くことが可能となり、部品点数を削減することができる。さらに、上流側板部７ａおよび下流側板部７ｂ間には、１対のガイドローラ１０間の位置に、ガイドロッド（鉛直方向移動手段）３２が配されている。このガイドロッド３２の中央には、バランサースプリング２７のワイヤ２８のループ状の他端部２８ａが取り付けられている。
【００３９】
この実施の形態２では、ガイドプレート７が支柱２０の最下端まで降下した際に、ガイドプレート７のガイドローラ１０のうち、支柱２０寄りのガイドローラ１０を係止するための凹部３３ａを有するロック機構３３が支柱２０の最下部に設けられている。このロック機構３３は、横置き状態になった止水扉２の不用意なズレを防止し、第１収納ケース３および第２収納ケース４と止水扉２との間に形成される水密構造を維持する役割を果たすものである。
【００４０】
以上のように、この実施の形態２によれば、ガイドプレート７の上流側板部７ａおよび下流側板部７ｂを略台形状にするように構成したので、実施の形態１による効果に加えて、止水扉２に対する鉛直方向へのガイド機能を維持しつつ、実施の形態１のガイドプレート７と比較して軽量化を図ると共に、１対のガイドローラ１０を省くことで部品点数を削減することができるという効果がある。
【００４１】
この実施の形態２によれば、ガイドプレート７に対するロック機構３３を設けるように構成したので、第１収納ケース３および第２収納ケース４と止水扉２との間に形成される水密構造を確実に維持することができるという効果がある。
【００４２】
実施の形態３．
図２１は、この発明の実施の形態３による止水装置の一部を構成する止水扉の構成を縦置き状態で示す正面図であり、図２２は、図２１に示した止水扉の構成を矢印Ａ５から見た矢視図であり、図２３は、図２１に示した止水扉の動作を説明するための正面図であり、図２４は、図２３に示した止水扉の構成を矢印Ａ６から見た矢視図であり、図２５は、図２３のＸＸＶ−ＸＸＶ線断面図である。なお、この実施の形態３の構成要素のうち、実施の形態１および実施の形態２の構成要素と共通するものについては同一の符号を付し、その部分の説明を省略する。
【００４３】
この実施の形態３の特徴は、止水扉２の一端部２ａに、上流側面２ｅと下流側面２ｆとの間に延在されるガイドロッド（鉛直方向移動手段）３４を回転可能に支持する断面Ω形状の回転支持部材３５が固定具３６により固定されている点にある。すなわち、ガイドロッド３４の両端部には、ガイドローラ（鉛直方向移動手段）３７およびガイドローラ（鉛直方向移動手段）３８が回転可能に配設されている。一方、支柱２０に固定された板部材２１および板部材２２には、上記ガイドローラ３７および３８の摺接を許す断面Ｕ字状のガイドレール（鉛直方向移動手段）３９およびガイドレール（鉛直方向移動手段）４０が配設されている。
【００４４】
以上のように、この実施の形態３によれば、止水扉２の一端部２ａにガイドロッド（鉛直方向移動手段）３４を回転可能に配設するように構成したので、実施の形態１と同様の効果を得ることができる。すなわち、この実施の形態３によれば、止水扉２を出入口Ｐに対して容易にかつ迅速に設置することができるという効果がある。また、この実施の形態１では、止水扉２の一端部２ａを鉛直方向上方に付勢するバランサースプリング２７を含むように構成したので、止水扉２を縦置き状態から横置き状態に回転的に移動させる際に、バランサースプリング２７の付勢力により止水扉２の回転的移動を規制することができることから、不用意な回転的移動を防止することができると共に、止水扉２の取り扱いを容易にして駅員等の専任者の作業負担を軽減することができるという効果がある。さらに、この実施の形態１では、ガイドプレート７等による回転的移動で止水扉２を床面Ｆに配置することができるので、床面Ｆに対して、従来実施されてきたような大掛かりなハツリ工事を不要とすることができることから、出入口Ｐへの止水装置１の設置を安価で迅速に行うことができるという効果もある。またさらに、この実施の形態１では、止水扉２を第１収納ケース３内に縦置き状態でコンパクトに収納することができるので、増水時以外の未使用時において場所を採らず、出入口Ｐの通行を妨げないという効果もある。
【００４５】
なお、この発明は、上記実施の形態１から実施の形態３に限定されるものではなく、この技術分野における当業者によって容易に到達することができる変更あるいは修正を施した変形例も特許請求の範囲内において、この発明に含めることができる。
【００４６】
また、この発明において出入口には、外部から構造物施設内への同一階あるいは下階への通行口となる部分で、例えば踊り場等の階段口部やスロープ部、廊下部などが含まれるものである。さらに、この発明における第１付勢手段は、上記バランサースプリング２７とワイヤ２８との構成に限らず、例えば、コイルスプリング等の付勢部材と、ベルトやチェーン等の紐状部材との構成などでもよく、止水扉を鉛直方向上方へ付勢する構成であれば、任意である。
【産業上の利用可能性】
【００４７】
この発明の止水装置は、例えば地下鉄、地下道、地下駐車場、地下駐輪場、地下街、地下室等の地下施設あるいはビル、住宅、倉庫等の地上施設等の構造物施設において、大雨あるいは高潮等により発生する増水に対処して浸水を防止するのに好適に使用可能である。
【図面の簡単な説明】
【００４８】
【図１】この発明の実施の形態１による止水装置の全体構成を示す正面図である。
【図２】図１に示した止水装置の一部を構成する第１収納ケースの配置構成を矢印Ａ１から見た矢視図である。
【図３】図１に示した止水装置の一部を構成する第２収納ケースの配置構成を矢印Ａ２から見た矢視図である。
【図４】図２に示した第１収納ケース内に縦置き状態で収納されている止水扉の構成を示す正面図である。
【図５】図４に示した止水扉の一端部に取り付けられた回転支持手段の構成を示す斜視図である。
【図６】図５に示した回転支持手段の構成を矢印Ａ３から見た矢視図である。
【図７】図４に示した止水扉の他端部に取り付けられた水平方向移動手段の構成を拡大して示す正面図である。
【図８】図７に示した水平方向移動手段の内部構成を示す立面図である。
【図９】図２に示した第１収納ケース内に配設された鉛直方向移動手段の構成を示す正面図である。
【図１０】図９に示した鉛直方向移動手段の構成を矢印Ａ４から見た矢視図である。
【図１１】図９に示した鉛直方向移動手段の構成を示す斜視図である。
【図１２】図９のＸＩＩ−ＸＩＩ線断面図である。
【図１３】図１のＸＩＩＩ−ＸＩＩＩ線断面図である。
【図１４】図４に示した止水扉の動作を説明するための正面図である。
【図１５】（ａ）、（ｂ）、（ｃ）、（ｄ）および（ｅ）は、図１４で説明された止水扉の動作に対応する水平方向移動手段の動作を説明するための正面図である。
【図１６】図１５（ｅ）に示した水平方向移動手段に対応する横置き状態の止水扉を示す斜視図である。
【図１７】止水扉が横置き状態になった場合における止水装置の内部構成を示す図であって、図１のＸＶＩＩ−ＸＶＩＩ線断面図である。
【図１８】この発明の実施の形態２による止水装置の一部を構成する止水扉の構成を縦置き状態で示す正面図である。
【図１９】図１８に示した止水扉の一端部に取り付けられた回転支持手段に対するロック機構を示す正面図である。
【図２０】図１８に示した止水扉の動作を説明するための正面図である。
【図２１】この発明の実施の形態３による止水装置の一部を構成する止水扉の構成を縦置き状態で示す正面図である。
【図２２】図２１に示した止水扉の構成を矢印Ａ５から見た矢視図である。
【図２３】図２１に示した止水扉の動作を説明するための正面図である。
【図２４】図２３に示した止水扉の構成を矢印Ａ６から見た矢視図である。
【図２５】図２３のＸＸＶ−ＸＸＶ線断面図である。
【符号の説明】
【００４９】
Ｆ  床面
Ｃ  天井
Ｗ１  壁面
Ｗ２  壁面
Ｓ  階段
Ｓ１  階段口部
Ｐ  出入口
Ｕ  上流側
Ｄ  下流側
１  止水装置
２  止水扉
２ａ  一端部
２ｂ  他端部
２ｃ  一側面
２ｄ  他側面
２ｅ  上流側面
２ｆ  下流側面
２ｇ  切欠き部
Ｘ  中心線
３  第１収納ケース
３ａ  開閉扉
４  第２収納ケース
４ａ  開閉扉
５  防潮パッキン（弾性シール部）
６  取手
７  ガイドプレート（回転支持手段）
７ａ  上流側板部
７ｂ  下流側板部
７ｃ  中央板部
８  回転軸
９  貫通穴
１０  ガイドローラ（鉛直方向移動手段）
１１  フック
１２  キャスター（水平方向移動手段）
１２ａ  回転軸
１２ｂ  支持部
１３  スプリング（水平方向移動手段：第２付勢手段）
１４  コイルスプリング（水平方向移動手段）
１４ａ  一端部
１４ｂ  他端部
１５  コイルスプリング（水平方向移動手段）
１５ａ  一端部
１５ｂ  他端部
１６  固定具
１７  固定プレート
１８  固定具
１９  可動プレート
２０  支柱
２０ａ  中央板部
２０ｂ  上流側板部
２０ｃ  下流側板部
２１  板部材
２２  板部材
２３  スペーサ
２４  スペーサ
２５  ガイドレール（鉛直方向移動手段）
２６  ガイドレール（鉛直方向移動手段）
２７  バランサースプリング（第１付勢手段）
２８  ワイヤ
２８ａ  他端部
２９  防潮パッキン
３０  支柱
３０ａ  中央板部
３０ｂ  上流側板部
３０ｃ  下流側板部
３１  防潮パッキン
３２  ガイドロッド（鉛直方向移動手段）
３３  ロック機構
３３ａ  凹部
３４  ガイドロッド（鉛直方向移動手段）
３５  回転支持部材
３６  固定具
３７  ガイドローラ（鉛直方向移動手段）
３８  ガイドローラ（鉛直方向移動手段）
３９  ガイドレール（鉛直方向移動手段）
４０  ガイドレール（鉛直方向移動手段）
【図１】
2006274755.tif 000003
【図２】
2006274755.tif 000004
【図３】
2006274755.tif 000005
【図４】
2006274755.tif 000006
【図５】
2006274755.tif 000007
【図６】
2006274755.tif 000008
【図７】
2006274755.tif 000009
【図８】
2006274755.tif 000010
【図９】
2006274755.tif 000011
【図１０】
2006274755.tif 000012
【図１１】
2006274755.tif 000013
【図１２】
2006274755.tif 000014
【図１３】
2006274755.tif 000015
【図１４】
2006274755.tif 000016
【図１５】
2006274755.tif 000017
【図１６】
2006274755.tif 000018
【図１７】
2006274755.tif 000019
【図１８】
2006274755.tif 000020
【図１９】
2006274755.tif 000021
【図２０】
2006274755.tif 000022
【図２１】
2006274755.tif 000023
【図２２】
2006274755.tif 000024
【図２３】
2006274755.tif 000025
【図２４】
2006274755.tif 000026
【図２５】
2006274755.tif 000027